(57)【要約】      （修正有）【課題】小さなスペースで保管・輸送が可能な折り畳み方式にて、多様な陳列物が、多様な陳列形態となる折り畳み式組立容器を提供する。【解決手段】板状装着板と連結体Ｆより環状となる装着体において、整形体Ｃを板状装着板の左水平板・右水平板上に重ね合わせ、整形体Ｃの固定孔９に連結体Ｆの連結体直立部を挿入して整形体Ｃを係止して、板状装着板の天板のアーチ状の湾曲状態を安定することとなり、ペン等の収納物を、装着体のアーチ状なる天板の貫通孔に貫通し整形体Ｃ上に設置して、収納物が着脱自在に装着されることとなる組立容器は、装着体が開閉自在なる折り曲げ線をもって扁平状に折り畳みができ、小さなスペースで保管・輸送が可能な折り畳み式組立容器となる。【選択図】図８
0003192533.tif 000002
【実用新案登録請求の範囲】
【請求項１】
互いに平行となる両端にて開閉自在なる折り曲げ線をもって折り畳み、互いに重ね合わせられるところの弾力性を有する四辺形の天板と水平板のうち、この天板のアーチ状に湾曲する支点となる平行する二辺の延長上に、開閉自在なる折り曲げ線をもって折り返して前記天板に重ね合わせられるところの一対の左水平板・右水平板に、この折り曲げ線に平行するところの３本の開閉自在なる折り曲げ線をもって、左右の一対の連結板の間に一対の直立板を設けた四辺形の連結体のうちの前記連結板を、それぞれ接合して環状とするところの装着体のうちの前記連結体の一対の連結板と、中央の折り曲げ線にて二つ折りして一対の直立板を重ね合わせた連結体直立部を逆Ｔ字状に整形し、前記天板をアーチ状に湾曲する支点に形成される二角内に互いに平行する二辺が収まるところの、固定孔を設けた上層整形板と、逆Ｔ字状に整形した前記連結体の水平状態に並設される一対の前記連結板が収まるところの下層収納孔を設けた下層整形板よりなる四辺形の整形体を付設して、この整形体に設けた前記固定孔に前記連結体直立部を係合し、収納物を前記天板に設けた収納物貫通孔に貫通して前記整形体上に設置して、前記装着体に着脱自在に装着した折り畳み式組立容器において、前記整形体に沿った陳列板の両端のうち、一方は前記天板に設けた陳列板貫通孔に貫通して前記天板内側の彎曲面に接触し、前記陳列板貫通孔に貫通しないところの他方には陳列物を陳列して、前記陳列板を水平状態に付設した折り畳み式組立容器。
【考案の詳細な説明】
【技術分野】
【０００１】  本考案は、家庭・事務所等で使用されるもので、折り紙や造花等の陳列のための組立容器に関するものである。
【背景技術】
【０００２】  従来のペン等の収納物のための折り畳み式組立容器は、収納物をアーチ状の天板の貫通孔に貫通し、収納物下部をアーチ状の底面上に設置しており、収納物形状や収納要領が限定されていた。【０００３】  以下、図１〜７により従来の折り畳み式組立容器について説明する。【０００４】  従来の組立容器Ａ１は装着体Ｂ・整形体Ｃより構成されている。【０００５】  装着体Ｂは、板状装着板Ｅと連結体Ｆより構成されており、板状装着板Ｅは厚み０．３ｍｍ程度の、ある程度の弾性を有するところの厚紙にて、四辺Ｅ１〜Ｅ４からなる四辺形の外形形状からなり、四辺１Ａ〜１Ｄからなる四辺形の外形形状の天板１と、この天板１の左右に、互いに同等なる大きさにて、四辺２Ａ〜２Ｄ・３Ａ〜３Ｄからなる四辺形の外形形状の左水平板２・右水平板３を、天板１の縦辺１Ｄ・１Ｂの延長上に折り曲げ線Ｅ５・Ｅ６をもって折り返しており、また、天板１の中央には、外形形状が四辺形にて交差する対角線４Ａと４Ｂが、天板１の縦辺１Ｂ・１Ｄ、及び、横辺１Ａ・１Ｃにそれぞれ平行となるところの貫通孔４を設けている。【０００６】  連結体Ｆも厚み０．３ｍｍ程度の厚紙の、四辺Ｆ１〜Ｆ４からなる四辺形の外形形状からなり、縦辺Ｆ２・Ｆ４に平行にして３本の開閉自在な折り曲げ線Ｆ５〜Ｆ７を配設して、左右一対の連結板５・６、及び、直立板７・８より構成され、３本の折り曲げ線Ｆ５〜Ｆ７のうちの中央の折り曲げ線Ｆ６をもって二つ折りし、一対の直立板７・８を互いに重ね合わせて連結体直立部Ｆ８を形成して、３本の折り曲げ線Ｆ５〜Ｆ７のうちの両端に位置する折り曲げ線Ｆ５・Ｆ７の延長上に水平状態に設けた一対の連結板５・６により、逆Ｔ字状に整形されるものであり、板状装着板Ｅの天板１と左水平板２・右水平板３が扁平状に重ね合わされた状態にて、連結体Ｆの一対の連結板５・６を、板状装着板Ｅの左水平板２・右水平板３に合成接着剤にてそれぞれ接着して環状となる装着体Ｂを形成している。【０００７】  整形体Ｃは、四辺Ｃ１〜Ｃ４からなる四辺形の外形形状からなり、上層整形板Ｇと下層整形板Ｈより構成され、このうちの上層整形板Ｇは、厚み０．５ｍｍ程度の厚紙にて四辺Ｇ１〜Ｇ４からなる四辺形の外形形状とし、下層整形板Ｈは厚み２ｍｍ程度の厚紙からなり、この外形形状の四辺Ｈ１〜Ｈ４は、上層整形板Ｇの四辺Ｇ１〜Ｇ４とそれぞれ同等な大きさとしている。【０００８】  また、整形体Ｃの外形形状の大きさにて、縦辺Ｃ２・Ｃ４は板状装着板Ｅの天板１の縦辺１Ｂ・１Ｄと同等とし、また、整形体Ｃの横辺Ｃ１・Ｃ３においては、板状装着板Ｅの天板１をアーチ状に湾曲した状態における天板１と左水平板２・右水平板３が形成する二角Ｅ７・Ｅ８内に、整形体Ｃの縦辺Ｃ２・Ｃ４が収まるところの大きさとし、上層整形板Ｇの中央には四辺９Ａ〜９Ｄのうちの長辺９Ｂ・９Ｄが、上層整形板Ｇの縦辺Ｇ２・Ｇ４に平行するところの長方形の固定孔９を設け、この固定孔９大きさは、連結体直立部Ｆ８の重ね合わせた直立板７・８の厚紙２枚の水平断面形状とほぼ同等にて、天板１をアーチ状に湾曲したところの板状装着板Ｅの左水平板２と右水平板３上に整形体Ｃを載置した場合、連結体直立部Ｆ８が固定孔９内にスムーズに挿入・取外し���できる大きさとしている。【０００９】  また、下層整形板Ｈの厚紙の厚みは２ｍｍ程度としているが、この厚みは板状装着板Ｅの左水平板２・右水平板３上に接着した連結体Ｆの連結板５・６の厚みより厚いものにするとともに、下層整形板Ｈの中央には、四辺１０Ａ〜１０Ｄからなる四辺形の下層収納孔１０を設け、この下層収納孔１０の大きさは、連結体Ｆの直立板７・８を互いに重ね合わせた場合の、水平状態となるところの連結板５と６を並列した大きさより一回り大きいものとし、この下層整形板Ｈ上に上層整形板Ｇを合成接着剤にて接着しており、連結体Ｆの連結板５・６が下層整形板Ｈの下層収納孔１０内に収まり、装着体Ｂの左水平板２・右水平板３上の整形体Ｃは、重ね合わせた状態が安定することとなる。【００１０】  したがって、板状装着板Ｅと連結体Ｆより環状となる装着体Ｂにおいて、整形体Ｃを板状装着板Ｅの左水平板２・右水平板３上に重ね合わせ、整形体Ｃの固定孔９に連結体Ｆの連結体直立部Ｆ８を挿入して整形体Ｃを係止して、板状装着板Ｅの天板１のアーチ状の湾曲状態を安定することとなり、ペン等の収納物を、装着体Ｂのアーチ状なる天板１の貫通孔４に貫通し整形体Ｃ上に設置して、収納物が着脱自在に装着されることとなる組立容器Ａ１は、装着体Ｂが開閉自在なる折り曲げ線Ｅ５・Ｅ６、Ｆ５〜Ｆ７をもって扁平状に折り畳みができ、小さなスペースで保管・輸送が可能な折り畳み式組立容器となる。
【考案の概要】
【考案が解決しようとする課題】
【００１１】  従来の折り畳み式組立容器は、収納物をアーチ状の天板の貫通孔に貫通し、収納物下部をアーチ状の底面上に設置しており、収納物はペン等のように、ある程度の長さが必要であり、収納要領も限定されていた。【００１２】  本考案は、上述のような問題点に鑑みてなされたものであり、その目的とするところは、小さなスペースで保管・輸送が可能な折り畳み方式にて、折り紙や造花等のように、ある程度の長さを有しないものであっても問題ない、すなわち、多様な陳列物が、多様な陳列形態となる折り畳み式組立容器を得ることを目的とする。
【課題を解決するための手段】
【００１３】  本考案の折り畳み式組立容器の課題解決手段は、互いに平行となる両端にて開閉自在なる折り曲げ線をもって折り畳み、互いに重ね合わせられるところの弾力性を有する四辺形の天板と水平板のうち、この天板のアーチ状に湾曲する支点となる平行する二辺の延長上に、開閉自在なる折り曲げ線をもって折り返して天板に重ね合わせられるところの一対の左水平板・右水平板に、この折り曲げ線に平行するところの３本の開閉自在なる折り曲げ線をもって、左右の一対の連結板の間に一対の直立板を設けた四辺形の連結体のうちの連結板を、それぞれ接合して環状とするところの装着体のうちの連結体の一対の連結板と、中央の折り曲げ線にて二つ折りして一対の直立板を重ね合わせた連結体直立部を逆Ｔ字状に整形し、天板をアーチ状に湾曲する支点に形成される二角内に互いに平行する二辺が収まるところの、固定孔を設けた上層整形板と、逆Ｔ字状に整形した連結体の水平状態に並設される一対の連結板が収まるところの下層収納孔を設けた下層整形板よりなる四辺形の整形体を付設して、この整形体に設けた固定孔に連結体直立部を係合し、収納物を天板に設けた収納物貫通孔に貫通して整形体上に設置して、装着体に着脱自在に装着した折り畳み式組立容器において、整形体に沿った陳列板の両端のうち、一方は天板に設けた陳列板貫通孔に貫通して天板内側の彎曲面に接触し、陳列板貫通孔に貫通しないところの他方には陳列物を陳列して、陳列板を水平状態に付設した折り畳み式組立容器とするものである。
【考案の効果】
【００１４】  上述の様に考案効果は、互いに平行となる両端にて開閉自在なる折り曲げ線をもって折り畳み、互いに重ね合わせられるところの弾力性を有する四辺形の天板と水平板のうち、この天板のアーチ状に湾曲する支点となる平行する二辺の延長上に、開閉自在なる折り曲げ線をもって折り返して天板に重ね合わせられるところの一対の左水平板・右水平板に、この折り曲げ線に平行するところの３本の開閉自在なる折り曲げ線をもって、左右の一対の連結板の間に一対の直立板を設けた四辺形の連結体のうちの連結板を、それぞれ接合して環状とするところの装着体のうちの連結体の一対の連結板と、中央の折り曲げ線にて二つ折りして一対の直立板を重ね合わせた連結体直立部を逆Ｔ字状に整形し、天板をアーチ状に湾曲する支点に形成される二角内に互いに平行する二辺が収まるところの、固定孔を設けた上層整形板と、逆Ｔ字状に整形した連結体の水平状態に並設される一対の連結板が収まるところの下層収納孔を設けた下層整形板よりなる四辺形の整形体を付設して、この整形体に設けた固定孔に連結体直立部を係合し、収納物を天板に設けた収納物貫通孔に貫通して整形体上に設置して、装着体に着脱自在に装着した折り畳み式組立容器において、整形体に沿った陳列板の両端のうち、一方は天板に設けた陳列板貫通孔に貫通して天板内側の彎曲面に接触して上方向に係止され、陳列板貫通孔に貫通しないところの他方には陳列物を陳列して、陳列板を水平状態に付設し、多様な陳列物が、多様な陳列形態となるとともに、装着体が簡単な組立となるところの小さなスペースで保管・輸送が可能な折り畳み式組立容器となる。
【図面の簡単な説明】
【００１５】
【図１】従来の組立容器の正面より見た要部断面図である。
【図２】同装着体の折り畳まれた状態の正面より見た要部断面図である。
【図３】同板状装着板の展開図である。
【図４】同連結体の展開図である。
【図５】同整形体の平面図である。
【図６】同上層整形板の平面図である。
【図７】同下層整形板の平面図である。
【図８】本考案の実施の形態１を示す組立容器の正面より見た要部断面図である。
【図９】同装着体の折り畳まれた状態の正面より見た要部断面図である。
【図１０】同板状装着板の展開図である。
【図１１】同陳列板の平面図である。
【考案を実施するための形態】
【００１６】  以下、本考案の実施の形態を実施例にもとづき図面を参照して説明する。
【実施例１】
【００１７】  実施の形態１を示す図８〜１１において、組立容器Ａ２は装着体Ｊ・整形体Ｃ・陳列板Ｌより構成されており、装着体Ｊに陳列板Ｌを付設する実施例であり、整形体Ｃは上述の従来の組立容器Ａ１におけるものと同等である。【００１８】  装着体Ｊは、板状装着板Ｋと連結体Ｆを組合せるものであり、この連結体Ｆは上述の従来の組立容器Ａ１におけるものと同等である。【００１９】  板状装着板Ｋは、上述の従来の組立容器Ａ１における板状装着板Ｅと同等であり、天板２１、左水平板２２・右水平板２３、四辺Ｋ１〜Ｋ４・２１Ａ〜２１Ｄ・２２Ａ〜２２Ｄ・２３Ａ〜２３Ｄ、折り曲げ線Ｋ５・Ｋ６、角Ｋ７・Ｋ８は、上述の従来の組立容器Ａ１における板状装着板Ｅの天板１、左水平板２・右水平板３、四辺Ｅ１〜Ｅ４・１Ａ〜１Ｄ・２Ａ〜２Ｄ・３Ａ〜３Ｄ、折り曲げ線Ｅ５・Ｅ６、角Ｅ７・Ｅ８にそれぞれ相当するものであるが、天板２１には、四辺２４Ａ〜２４Ｄのうちの長辺２４Ｂ・２４Ｄが、折り曲げ線Ｋ５・Ｋ６にそれぞれ平行するところの長方形の陳列板貫通孔２４を設けている。【００２０】  陳列板Ｌは、厚み１ｍｍ程度の厚紙の、四辺Ｌ１〜Ｌ４からなる長方形の外形形状からなり、板状装着板Ｋと連結体Ｆより環状となる装着体Ｊにおいて、整形体Ｃを板状装着板Ｋの左水平板２２・右水平板２３上に重ね合わせ、整形体Ｃの固定孔９に連結体Ｆの連結体直立部Ｆ８を挿入して整形体Ｃを係止して、アーチ状の湾曲状態となるところの板状装着板Ｋの天板２１の陳列板貫通孔２４に、この陳列板Ｌを貫通するものであり、陳列板貫通孔２４の大きさは、この陳列板Ｌがスムーズに挿入・取外しができる大きさとしており、陳列板Ｌの四辺Ｌ１〜Ｌ４のうちの一対の短辺Ｌ２・Ｌ４のうち、一方の短辺Ｌ２が陳列板貫通孔２４を貫通して、彎曲した天板２１の内側に接触している。【００２１】  したがって、アーチ状の天板２１の陳列板貫通孔２４に貫通した陳列板Ｌは、四辺２４Ａ〜２４Ｄからなる陳列板貫通孔２４の長辺２４Ｄと接することとなり、これを境にして、貫通した短辺Ｌ２を有する片方が、貫通しない短辺Ｌ４を有する片方、すなわち、陳列物を陳列する片方より重たくない限り、陳列板Ｌの短辺Ｌ２が彎曲した天板２１の内側に係止されて、陳列板Ｌは装着体Ｊの整形体Ｃに水平状態に設置されることが可能となり、この陳列板Ｌ上に陳列物を陳列して、多様な陳列物が、多様な陳列形態となるとともに、装着体Ｊが開閉自在なる折り曲げ線Ｋ５・Ｋ６、Ｆ５〜Ｆ７をもって扁平状に折り畳みができ、小さなスペースで保管・輸送が可能な折り畳み式組立容器となる。【００２２】  上述の実施例において、陳列板Ｌは厚紙製としているが、プラスチック板や、木製板としてもよいし、また、陳列板Ｌの断面はフラットとしているが、陳列物のスベリ防止用凹凸を有する断面形状にするとか、スポンジ等のスベリ防止用板を貼り付けてもよい。【００２３】  また、天板２１には陳列板貫通孔２４を設けて一枚の陳列板Ｌを配設しているが、陳列板貫通孔２４以外に陳列板貫通孔を設けて、複数の陳列板を付設してもよい。【００２４】  また、陳列板Ｌの四辺Ｌ１〜Ｌ４のうち、短辺Ｌ２・Ｌ４の巾にて、陳列物の大きさが限定されることとなるが、短辺Ｌ２・Ｌ４��り大きい巾を有する陳列補助片を別途用意して接着するとか、この陳列補助片を一体とするところの陳列板としてもよい。【００２５】  また、連結体Ｆの連結体直立部Ｆ８は四辺形としているが、上下辺のうち、下辺より上辺を短くした台形形状とするならば、整形体Ｃの固定孔９に、連結体Ｆの連結体直立部Ｆ８を挿入して整形体Ｃを係止する場合、固定孔９に連結体直立部Ｆ８を挿入しやすくなることは言うまでもない。【００２６】  また、天板２１の横辺２１Ａ・２１Ｃに沿って平行する横辺と、天板２１に左右の水平板２２・２３を扁平状に折り返して形成する二角内に収まるところの平行する縦辺からなる四辺形の外形形状にて、この中央に、連結体Ｆを展開した外形形状を、ミシン目をもって配設したところの連結体配設板を用意して、連結体Ｆの連結板５・６を、板状装着板Ｋの左水平板２２・右水平板２３にそれぞれ接着し、接着後、連結体Ｆ以外の不要な部分を除去するならば、連結体Ｆの特別な位置決めゲージ等も必要なく、板状装着板Ｋと連結体Ｆの接着が正確・簡単になることは言うまでもない。
【符号の説明】
【００２７】Ａ１、Ａ２  組立容器
Ｂ、Ｊ  装着体
Ｃ  整形体
Ｅ、Ｋ  板状装着板
Ｆ  連結体
Ｇ  上層整形板
Ｈ  下層整形板
Ｌ  陳列板
【図１】
0003192533.tif 000003
【図２】
0003192533.tif 000004
【図３】
0003192533.tif 000005
【図４】
0003192533.tif 000006
【図５】
0003192533.tif 000007
【図６】
0003192533.tif 000008
【図７】
0003192533.tif 000009
【図８】
0003192533.tif 000010
【図９】
0003192533.tif 000011
【図１０】
0003192533.tif 000012
【図１１】
0003192533.tif 000013